(57)【要約】【課題】通電時の明るさを用途や場所に応じて適宜設定したり周囲景観に配慮した意匠にしたりする。【解決手段】照明装置は、商用電源ＡＣの通電時に点灯する常用光源Ｌ１及び停電時に点灯する非常用光源Ｌ２を点灯制御するものであり、常用光源Ｌ１を保持する照明器具１と、照明器具１とは別体であって非常用光源Ｌ２を保持する電源装置２とを備え、構造物Ａに取り付けられている。電源装置２は、商用電源ＡＣの通電時に充電され停電時に非常用光源Ｌ２に電源供給する蓄電池２０と、蓄電池２０を内蔵するケース２１と、ケース２１に収納され非常用光源Ｌ２を保持するソケット２２と、ケース２１に収納され商用電源ＡＣを通電時に照明器具１に電源供給するとともに蓄電池２０を充電するようにし停電時に蓄電池２０から非常用光源Ｌ２に電源供給するように切り替える充電装置２４とを備える。【選択図】図１
2009021084.tif 000002
【特許請求の範囲】
【請求項１】
商用電源の通電時に点灯する常用光源及び停電時に点灯する非常用光源を点灯制御し構造物に取付可能な照明装置であって、
前記常用光源を保持し当該常用光源に前記商用電源を電源供給して点灯させる照明器具を備えるとともに、
前記商用電源の通電時に充電され停電時に前記非常用光源に電源供給する電池部と、前記電池部を内蔵するケースと、前記ケースに収納され前記非常用光源を保持する保持手段と、前記ケースに収納され通電時に前記商用電源によって前記電池部を充電するとともに前記商用電源を前記照明器具に電源供給し停電時に前記電池部から前記非常用光源に電源供給して当該非常用光源を点灯させるように切り替える制御手段とを有し、前記照明器具とは別体である電源装置を備える
ことを特徴とする照明装置。
【請求項２】
前記照明器具が前記電源装置に取付可能とする照明器具用取付手段を有し、
前記電源装置が前記構造物に取付可能とする電源装置用取付手段を有する
ことを特徴とする請求項１記載の照明装置。
【請求項３】
前記構造物に前記照明器具が取り付けられ、前記構造物において前記照明器具の下方に前記電源装置が配置されることを特徴とする請求項１記載の照明装置。
【発明の詳細な説明】
【技術分野】
【０００１】
本発明は、構造物に取付可能な照明装置に関するものである。
【背景技術】
【０００２】
構造物に取付可能な従来の照明装置（照明器具）として、特許文献１には、常用光源と非常用光源を兼用する１つの蛍光ランプ（照明負荷）を点灯制御するものが開示されている。特許文献１の照明装置は、通電時に商用電源からの電源供給によって蛍光ランプを常用光源として点灯させるとともに、二次電池を充電する。一方、停電時に、二次電池からの電源供給によって蛍光ランプを非常用光源として点灯させる。
【０００３】
また、構造物に取付可能な従来の照明装置の他の例として、図５に示すように、常用光源と非常用光源を兼用する光源Ｌ３を保持する照明器具４０と、商用電源ＡＣの通電時に充電され停電時に光源Ｌ３に電源供給する電池部（図示せず）を内蔵する電源装置４１とを備えるものがある。なお、同様の構成が特許文献２に開示されている。
【特許文献１】特開２０００−７６９１０号公報（段落００２５〜００３１及び図１，２）
【特許文献２】特開平１１−３０７２７５号公報（段落００１４，００１５及び図１，２）
【発明の開示】
【発明が解決しようとする課題】
【０００４】
しかしながら、従来の照明器具は、常用光源と非常用光源を兼用する１つの照明負荷を点灯制御する専用器具であるため、一般器具に比べて照明負荷の消費電力に対する種類が少ない。このため、例えば道路などの屋外に設置された後、交通上又は防犯上の重要性に対する見直しが行われ、これまでよりも明るくする必要が生じたときに、必要な明るさに対応する適当な照明器具がない場合が発生し、この場合、照明器具の台数を増やして対応しなければならなく不経済であるという問題があった。また、照明器具の形状についても種類が少ないため、周囲景観に合わせることができない場合があった。
【０００５】
本発明は上記の点に鑑みて為されたものであり、その目的は、通電時の明るさを用途や場所に応じて適宜設定したり周囲景観に配慮した意匠にしたりすることができる照明装置を提供することにある。
【課題を解決するための手段】
【０００６】
請求項１の発明は、商用電源の通電時に点灯する常用光源及び停電時に点灯する非常用光源を点灯制御し構造物に取付可能な照明装置であって、前記常用光源を保持し当該常用光源に前記商用電源を電源供給して点灯させる照明器具を備えるとともに、前記商用電源の通電時に充電され停電時に前記非常用光源に電源供給する電池部と、前記電池部を内蔵するケースと、前記ケースに収納され前記非常用光源を保持する保持手段と、前記ケースに収納され通電時に前記商用電源によって前記電池部を充電するとともに前記商用電源を前記照明器具に電源供給し停電時に前記電池部から前記非常用光源に電源供給して当該非常用光源を点灯させるように切り替える制御手段とを有し、前記照明器具とは別体である電源装置を備えることを特徴とする。
【０００７】
請求項２の発明は、請求項１の発明において、前記照明器具が前記電源装置に取付可能とする照明器具用取付手段を有し、前記電源装置が前記構造物に取付可能とする電源装置用取付手段を有することを特徴とする。
【０００８】
請求項３の発明は、請求項１の発明において、前記構造物に前記照明器具が取り付けられ、前記構造物において前記照明器具の下方に前記電源装置が配置されることを特徴とする。
【発明の効果】
【０００９】
請求項１の発明によれば、非常用光源を常用光源と切り離して電源装置に保持されることによって、種類が多く通電時のみに点灯する光源を常用光源として用いたり、この光源を点灯制御する一般器具を照明器具として用いたりすることで、常用光源の明るさや照明器具の形状を非常用光源に関係なく選択することができるので、常用光源及び照明器具を変更するだけで通電時の明るさを用途や場所に応じて適宜設定したり、周囲景観に配慮した意匠にしたりすることができる。
【００１０】
請求項２の発明によれば、照明器具及び電源装置を構造物の片側に配置することができるので、施工やメンテナンスの際に梯子架けを容易に行うことができる。
【００１１】
請求項３の発明によれば、一般的に非常用光源は常用光源よりも光量が少ないために暗いが、電源装置を照明器具より下方に配置することによって、常用光源と非常用光源の明るさの差を小さくすることができる。
【発明を実施するための最良の形態】
【００１２】
（実施形態１）
まず、実施形態１の照明装置の構成について図１，２を用いて説明する。この照明装置は、図１に示すように、商用電源ＡＣの通電時に点灯する常用光源Ｌ１及び停電時に点灯する非常用光源Ｌ２を点灯制御するものであり、常用光源Ｌ１を保持する照明器具１と、照明器具１とは別体であって非常用光源Ｌ２を保持する電源装置２とを備えている。本実施形態の照明装置は主に屋外で用いられるものであり、例えば電柱やポール、建築物などの構造物Ａに取り付けられている。
【００１３】
本実施形態で用いられる非常用光源Ｌ２は、停電時に後述の蓄電池２０から電源供給されて点灯するものであるが、一般的に、常用光源Ｌ１より消費電力が小さい、つまり、常用光源Ｌ１より光量が少ない。
【００１４】
続いて、本実施形態の照明装置を構成する照明器具１及び電源装置２の構成について説明する。最初に、照明器具１の構成について説明する。照明器具１は、器具本体１０と、器具本体１０の開口を覆う透明なグローブ１１と、器具本体１０の内部に設置され常用光源Ｌ１を保持するソケット１２と、電源装置２に取付可能とする取付部（照明器具用取付手段）１３とを備えている。
【００１５】
グローブ１１は例えば透明なアクリルなどで形成され、常用光源Ｌ１からの光を外部に放射させる。このグローブ１１は器具本体１０の先端に係合し上記先端を中心に回動自在となる。これにより、ユーザは照明器具１を設置した後も、設置した状態で常用光源Ｌ１の交換を容易に行うことができる。
【００１６】
なお、グローブ１１は上記のように先端を中心に回動自在となることに限定されるものではなく、器具本体１０の先端ではなく側部や基部（根元）に係合し、係合した側部や基部を中心に回動自在となるものであってもよい。このようなグローブ１１であっても、ユーザは照明器具１を設置した後も、設置した状態で常用光源Ｌ１の交換を容易に行うことができる。
【００１７】
取付部１３は例えば金属板でコ字状に形成されたものであり、１対の対向面１３０が突出した状態で器具本体１０の基端面（後端面）に設置されている。各対向面１３０には長方形状の孔１３１が形成されており、これらの孔１３１には取付バンド１４が挿入される。
【００１８】
続いて、電源装置２の構成について説明する。電源装置２は、図２に示すように、商用電源ＡＣ（図１参照）の通電時に充電され停電時に非常用光源Ｌ２に電源供給する蓄電池（電池部）２０と、蓄電池２０を内蔵するケース２１と、ケース２１に収納され非常用光源Ｌ２を保持するソケット（保持手段）２２と、ケース２１に収納され商用電源ＡＣから電源供給されるための電線３０を接続する端子台２３と、ケース２１に収納され通電時に商用電源ＡＣによって蓄電池２０を充電し停電時に蓄電池２０から非常用光源Ｌ２に電源供給するように切り替える充電装置（制御手段）２４と、構造物Ａ（図１参照）に取付可能とする取付部（電源装置用取付手段）２５とを備えている。
【００１９】
取付部２５は例えば金属板でコ字状に形成されたものであり、１対の対向面２５０が突出した状態でケース２１の側面に設置されている。各対向面２５０には長方形状の孔２５１が形成されており、これらの孔２５１には取付バンド２８（図１参照）が挿入される。
【００２０】
ケース２１は、下面から光が透過可能なものである。また、ケース２１には、非常用光源Ｌ２の照射方向が下方を向き上記非常用光源Ｌ２からの光がケースの下面から外部に放射するようにソケット２２が取り付けられ、このソケット２２の周囲には、曲面で形成された凹状の反射板２６が設けられている。これにより、ソケット２２に保持される非常用光源Ｌ２からの光を下方に放射することができる。
【００２１】
ここで、ソケット２２は、本実施形態のようにケース２１内部の下方に取り付けられるほうが好ましい。下方に取り付けられることによって、光量が少ない非常用光源Ｌ２が常用光源Ｌ１よりも下方に位置し、常用光源Ｌ１と非常用光源Ｌ２の明るさの差を小さくすることができるためである。
【００２２】
また、ケース２１には、非常用光源Ｌ２の点灯状態を点検するための点検スイッチ２７が設けられている。点検スイッチ２７は、ユーザの操作によって充電装置２４を停電時と同様の状態にして、非常用光源Ｌ２を点灯させるものである。このときの非常用光源Ｌ２の点灯時間を測定することによって、蓄電池２０が正常に充電しているか否かを点検することができる。
【００２３】
なお、非常用光源Ｌ２としてＬＥＤを用いる場合、ケース２１にはソケット２２に代えてコネクタ（図示せず）が取り付けられる。この場合、ＬＥＤは直進性が強いため、ＬＥＤの照射方向が下方を向くようにコネクタが取り付けられることによって、凹状の反射板２６を省略することができる。
【００２４】
端子台２３はケース２１内の上端側（ソケット２２とは反対側）に取り付けられ、外側で電線３０が接続されるとともに、通電時に商用電源ＡＣを照明器具１（図１参照）に電源供給するための電線３１が接続されている。端子台２３の内側では、電線３０と充電装置２４を導通させる電線３２と、電線３１と充電装置２４を導通させる電線３３とが接続されている。
【００２５】
充電装置２４は、通電時に商用電源ＡＣによって蓄電池２０を充電するとともに、電線３３、端子台２３及び電線３１を介して商用電源ＡＣを照明器具１に電源供給する。一方、停電になると、充電装置２４は、商用電源ＡＣからの電源供給がないことを検出し、蓄電池２０から非常用光源Ｌ２に電源供給するように切り替える。非常用光源Ｌ２は、蓄電池２０から電源供給されて点灯する。
【００２６】
次に、本実施形態の照明装置の動作について図１を用いて説明する。最初に、商用電源ＡＣの通電時における動作について説明する。まず、電源装置２において、電線３０、端子台２３及び電線３２を介して商用電源ＡＣから充電装置２４に電源供給されると、充電装置２４は、商用電源ＡＣからの電源を電線３３、端子台２３及び電線３１を介して照明器具１に電源供給するとともに、蓄電池２０に対して充電するように切り替える。このとき、蓄電池２０から非常用光源Ｌ２には電源供給されないようにしておく。一方、照明器具１では、電線３１を介して電源装置２から商用電源ＡＣが電源供給されると、常用光源Ｌ１を点灯させて周囲を照射する。
【００２７】
続いて、停電時における動作について説明する。電源装置２において、充電装置２４は商用電源ＡＣからの電源供給がないことを検出し、蓄電池２０を充電状態から非常用光源Ｌ２に電源供給する状態に切り替える。これにより、非常用光源Ｌ２を点灯させて周囲を照射する。一方、充電装置２４は、端子台２３を介して商用電源ＡＣから電源供給されないため、照明器具１への電源供給を停止する。これにより、照明器具１側では、常用光源Ｌ１が消灯する。
【００２８】
上記動作によって、本実施形態の照明装置は、商用電源ＡＣの通電時に常用光源Ｌ１を点灯させることができ、停電時に非常用光源Ｌ２を点灯させることができる。
【００２９】
次に、本実施形態の照明装置の構造物Ａへの取付方法について図１を用いて説明する。まず、照明器具１の取付部１３の各孔１３１に取付バンド１４を挿入し、この取付バンド１４を電源装置２のケース２１の側面に巻いて固定することによって、照明器具１を電源装置２に取り付ける。続いて、照明器具１が取り付けられた電源装置２の取付部２５の孔２５１に取付バンド２８を挿入し、この取付バンド２８を構造物Ａの周囲に巻いて固定することによって、電源装置２を構造物Ａに取り付ける。
【００３０】
電源装置２は蓄電池２０によって重いため、構造物Ａに直接取り付ける必要があるが、照明器具１は蓄電池２０を備えず軽いため、必ずしも構造物Ａに直接取り付ける必要はなく、本実施形態のように電源装置２に取り付けることができる。
【００３１】
本実施形態の照明装置を構造物Ａに取り付けた後、通電時の明るさを変更する場合、取付バンド１４を緩めて電源装置２から照明器具１を取り外し、新たな照明器具１の取付部１３の各孔１３１に取付バンド１４を挿入して電源装置２のケース２１の周囲に巻いて固定することによって、新たな照明器具１を電源装置２に取り付ける。上記より、照明器具１のみを取り替えるだけで、通電時の明るさを変更することができる。周囲景観に応じて異なる形状の照明器具１に変更する場合も同様の作業を行えばよい。なお、照明器具１が、異なる消費電力の常用光源Ｌ１に対応可能である場合、常用光源Ｌ１のみを取り替えればよい。
【００３２】
以上、本実施形態によれば、非常用光源Ｌ２を常用光源Ｌ１と切り離して電源装置２に保持されることによって、種類が多く通電時のみに点灯する光源を常用光源Ｌ１として用いたり、この光源を点灯制御する一般器具を照明器具１として用いたりすることで、常用光源Ｌ１の明るさや照明器具１の形状を非常用光源Ｌ２に関係なく選択することができるので、常用光源Ｌ１及び照明器具１を変更するだけで通電時の明るさを用途や場所に応じて適宜設定したり、周囲景観に配慮した意匠にしたりすることができる。
【００３３】
また、照明器具１及び電源装置２を構造物Ａの片側に配置することができるので、施工やメンテナンスの際に梯子架けを容易に行うことができる。
【００３４】
なお、実施形態１の変形例として、図３に示すような形状の異なる照明器具１ａ，１ｂを備えてもよい。このような形状の異なる照明器具１ａ，１ｂを用いることによって、周囲景観に配慮した意匠にすることができる。
【００３５】
（実施形態２）
実施形態２の照明装置は、図４に示すように、照明器具１と電源装置２とを実施形態１と同様に備えているが、構造物Ａに照明器具１が取り付けられ、構造物Ａにおいて照明器具１の下方に電源装置２が配置される点で、実施形態１と相違している。なお、実施形態１と同様の構成要素については、同一の符号を付して説明を省略する。また、本実施形態の照明装置の動作は実施形態１と同様である。
【００３６】
ここで、本実施形態の照明装置の取付方法について説明する。まず、照明器具１の取付部１３の各孔１３１に取付バンド１４を挿入し、その後、取付バンド１４を構造物Ａの周囲に巻いて固定することによって、照明器具１を構造物Ａに取り付ける。続いて、電源装置２の取付部２５の各孔２５１に取付バンド２８を挿入し、この取付バンド２８を構造物Ａのうち照明器具１が取り付けられた位置より下方における周囲に巻いて固定することによって、電源装置２を構造物Ａに取り付ける。特に、非常用光源Ｌ２が常用光源Ｌ１の照射範囲と同一範囲を照射するように、構造物Ａにおける電源装置２の高さを決定して取り付けるのが好ましい。このようにすると、常用光源Ｌ１と非常用光源Ｌ２の明るさの差をほとんどなくすことができる。
【００３７】
本実施形態の照明装置を構造物Ａに取り付けた後、通電時の明るさを変更する場合、取付バンド１４を緩めて構造物Ａから照明器具１を取り外し、新たな照明器具１の取付部１３の各孔１３１に取付バンド１４を挿入して構造物Ａの周囲に巻いて固定することによって、新たな照明器具１を構造物Ａに取り付ける。上記より、照明器具１のみを取り替えるだけで、通電時の明るさを変更することができる。周囲景観に応じて異なる形状の照明器具１に変更する場合も同様の作業を行えばよい。なお、照明器具１が、異なる消費電力の常用光源Ｌ１に対応可能である場合、実施形態１と同様に常用光源Ｌ１のみを取り替えればよい。
【００３８】
以上、本実施形態によれば、一般的に非常用光源Ｌ２は常用光源Ｌ１よりも光量が少ないために暗いが、電源装置２を照明器具１より下方に配置することによって、常用光源Ｌ１と非常用光源Ｌ２の明るさの差を小さくすることができる。
【図面の簡単な説明】
【００３９】
【図１】実施形態１の照明装置の構成を示す図である。
【図２】同上の電源装置の構成を示す図である。
【図３】同上の変形例の構成を示す図である。
【図４】実施形態２の照明装置の配置図である。
【図５】従来の照明装置の構成を示す図である。
【符号の説明】
【００４０】
１，１ａ，１ｂ  照明器具
１３  取付部
２  電源装置
２０  蓄電池
２１  ケース
２２  ソケット
２４  充電装置
２５  取付部
ＡＣ  商用電源
Ｌ１  常用光源
Ｌ２  非常用光源
Ａ  構造物
【図１】
2009021084.tif 000003
【図２】
2009021084.tif 000004
【図３】
2009021084.tif 000005
【図４】
2009021084.tif 000006
【図５】
2009021084.tif 000007